(57)【要約】【課題】断熱容器内の熱対流による保温性低下を防止できるようにする。【解決手段】断熱容器１の上部開口部１Ａに外蓋10を開閉自在に設け、内側に内容器５，12，13を収納する。内容器５は内容器本体16にパッキン材22を介して内蓋17を開閉自在に設ける。パッキン材22から外周方向に突出して断熱容器１の内周面２Ａに接触可能な遮断壁６を設ける。断熱容器１の内周面２Ａには、遮断壁６が接する内径Ａの箇所の上方に接しない内径Ｂの箇所を有する。遮断壁６により断熱容器１内における断熱した内蓋17を備えた内容器５と内容器13側において空間を遮断して、熱対流を少なくして保温機能の低下を抑えることができる。【選択図】図１
2011235934.tif 000002
【特許請求の範囲】
【請求項１】
上部開口部に外蓋を開閉自在に設けた断熱容器に内容器を収納すると共に、該内容器は内容器本体にパッキン材を介して内蓋を開閉自在に設けた断熱食品容器において、前記パッキン材から外周方向に突出して前記断熱容器の内周面に接触可能な遮断壁を設けたことを特徴とする断熱食品容器。
【請求項２】
前記パッキン材は弾性リングからなり、前記内容器本体の上部開口部と前記内蓋に介在していることを特徴とする請求項１記載の断熱食品容器。
【請求項３】
前記断熱容器の内周面には、前記遮断壁が接しない大径部と前記遮断壁が接する小径部を有することを特徴とする請求項２記載の断熱食品容器。
【発明の詳細な説明】
【技術分野】
【０００１】
本発明は、保温したまま弁当を携帯する保温弁当箱などの断熱食品容器に関するものである。
【背景技術】
【０００２】
従来この種のものとして、保温弁当箱の本体を形成する断熱容器の内部に、少なくとも上段および下段からなる２つ以上の内容器を垂直方向に積み重ねて収納してなり、内容器は、内容器本体の上部開口部にパッキン材を介して内蓋が開閉自在に設けられたものである。そして、このような従来技術においてはそれぞれ円筒状の断熱容器内面と内容器の外面は一定の隙間が設定されている。
【０００３】
さらに、断熱容器への容積効率が良い例えば飯器などの内容器において、内蓋の閉状態を明確にするために、内蓋の外側面に肉盛部が径方向に設けられて、この肉盛部が容器本体の内側面の凸リブを乗り越えて通過したときに、クリック感を生じせしめるものが知られている（例えば特許文献１）。
【先行技術文献】
【特許文献】
【０００４】
【特許文献１】特許第２９８６８８６号公報
【発明の概要】
【発明が解決しようとする課題】
【０００５】
前記従来具術においては、断熱容器内面と内容器の外面は一定の隙間が設定されており、この隙間は、保温収納されている食品を収納した内容器からの熱対流が発生する空間となり、断熱容器開口部へ熱損失するおそれがある。
【０００６】
また、クリック感のために肉盛部と凸リブとを設けたような場合、クリック感はそれぞれの部品の製造公差に大きく影響され、一定のトルク値に保持する調整が困難であった。また、断熱容器構成で、収納されるうち容器の外径と断熱容器の内径はそれぞれ仕上がり公差のため、ある程度の隙間が必要であるが、このような隙間も前述のような熱損失の原因になる。
【０００７】
解決しようとする問題点は、断熱容器に食品の内容器を収納する断熱食品容器において、断熱容器内の熱対流による保温性低下を防止できるようにする点である。また、内容器の内蓋が正位置になると凹凸嵌合によるクリック感が生ずるようなもののような場合であっても、各部品の製造寸法公差を比較的低く設定できるようにする点である。
【課題を解決するための手段】
【０００８】
請求項１の発明は、上部開口部に外蓋を開閉自在に設けた断熱容器に内容器を収納すると共に、該内容器は内容器本体にパッキン材を介して内蓋を開閉自在に設けた断熱食品容器において、前記パッキン材から外周方向に突出して前記断熱容器の内周面に接触可能な遮断壁を設けたことを特徴とする断熱食品容器である。
【０００９】
請求項２の発明は、前記パッキン材は弾性リングからなり、前記内容器本体の上部開口部と前記内蓋に介在していることを特徴とする請求項１記載の断熱食品容器である。
【００１０】
請求項３の発明は、前記断熱容器の内周面には、前記遮断壁が接しない大径部と前記遮断壁が接する小径部を有することを特徴とする請求項２記載の断熱食品容器である。
【発明の効果】
【００１１】
請求項１の発明によれば、遮断壁により断熱容器内の対流空間を遮断して、熱対流を少なくして保温機能の低下を抑えることができる。
【００１２】
請求項２の発明によれば、遮断壁に弾性体を用いているため、断熱容器の内周面に遮断壁を変形接触させることができる。
【００１３】
請求項３の発明によれば、内容器の出し入れの際の遮断壁の接触抵抗を軽減させることができる。
【図面の簡単な説明】
【００１４】
【図１】本発明の実施例１を示す縦断面図である。
【図２】本発明の実施例２を示す縦断面図である。
【発明を実施するための形態】
【００１５】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１６】
図１は実施例１を示しており、保温弁当箱の本体を形成する断熱容器１は、有底円筒状の内筒２と有底円筒状の外筒３とをその口部で接合一体化して上部開口部１Ａを形成しており、この上部開口部１Ａは内筒２とほぼ同径な広口に形成され、そして、内筒２と外筒３間の空隙を真空断熱空間４とした真空二重構造を有している。内筒２の内径は後述する第２の内容器５の遮断壁６が配置される第１の内径Ａが最小となり、該内径Ａの箇所の上方においては第２の内径Ｂ（Ｂ＜Ａ）となる段を介して大径に形成されており、一方内径Ａの箇所の下方において内径は同じ径Ａに形成されている。また外筒３の底部には、底部材７が装着されている。さらに、断熱容器１の外筒３の上部開口部１Ａの直径方向の両端に相当する２箇所に止め具８を設けている。この止め具８は基端を上部開口部の外周に固定した肩部材９に回動自在に連結した正面が略Ｕ字型形或いは略倒コ字型形に形成されている。
【００１７】
断熱容器１の上部開口部１Ａを塞ぐ外蓋10は、比較的浅型の有底円筒状形状を有しており、肩部材９に上方から外嵌合できるようになっており、その直径方向の両端に相当する２箇所に止め具８の受け部11が設けられている。
【００１８】
上部開口部１Ａを外蓋10で閉じた状態での断熱容器１の内部には、上下方向に食品収納用の第１の内容器12、前記第２の内容器５、第３の内容器13が積み重ねられて収納されている。実施例では、第１の内容器12は外蓋10の内側に収納されており、内筒２の底部に載置した第３の内容器13と、第３の内容器13上にある第２の内容器５は断熱容器１に収納されている。
【００１９】
そして、第１の内容器12は有底な第１の内容器本体14の上部開口部14Ａに第１の内蓋15を外嵌したものであり、第１の内蓋15は外蓋10の天面に対向している。
【００２０】
第２の内容器５は有底な第２の内容器本体16の上部開口部16Ａに第２の内蓋17の内底を挿入したものであり、第２の内蓋17は皿型の上板部18の下面に凹状の底板部20の上縁を突き合わせるようにして互いに接合し、両者の間に形成された空隙を空気層としたり、断熱材を充填した断熱層21を有するもので、その底板部20を第２の内容器本体16の上部開口部16Ａに挿入した状態に装着されている。そして、この第２の内蓋17の外周の全周にはパッキン材である平面が円環状の弾性リング22が装着している。この弾性リング22の断面形状は内側を開口したコ字形状であって、横向きの上辺部23を上板部18の上面の縁側に嵌合すると共に、上辺部23の下に連なる上下方向向きの縦辺部24は内筒２の第１の内径Ａの箇所の内周面２Ａに対向しており、さらに縦辺部24の下に連なる横向きの下辺部25の内側を底板部20の側面上部に嵌合しており、外側にあらわれている下辺部25の下面における外縁側に、上部開口部16Ａの縁が下方から上向きに当接するようになっている。また、底板部20の側面の下部に内側に向けて浅い凹部26が形成されていると共に、第２の内蓋17を閉じたときに該凹部26に挿入する小突起27が第２の内容器本体16の内側面に形成されており、第２の内蓋17を正位置で閉じたときに、底板部20が小突起27を乗り越え凹部26と小突起27とが嵌合してクリック感を生じることができるようになっている。
【００２１】
上板部18の上面はほぼ中央部がへこんで形成されており、このへこみ部28には、上方へ突起してこの第２の内容器５を断熱容器１内より取り出すためのつまみ状の取手部29が設けられている。
【００２２】
そして、縦辺部24の上部に外周方向に突出して断熱容器１の内周面２Ａに接触可能な前記遮断壁６を設ける。この遮断壁６は弾性リング22に沿って全周に設けられるもので、遮断壁６の基端、すなわち縦辺部24側より、先端側、すなわち断熱容器１の内周面２Ａ側は先細になるように形成されている。したがって、断熱容器１の中心を軸心としたとき、遮断壁６が当接する内周面２Ａの第１の内径Ａと、第２の内蓋17の全周に配置された遮断壁６の全幅である外径Ｃとは同じか、第１の内径Ａより外径Ｃがわずかに大きく形成されている。
【００２３】
第３の内容器13は有底な第３の内容器本体30の上部開口部30Ａに第３の内蓋31を螺子32により着脱自在に設けたものであり、第２の内蓋17の中央に空気弁33が設けられている。
【００２４】
次に、本実施例の作用について説明する。まず、第１図に示した状態より、止め具８を下方へ縦回動させて、受け部11から外す。そして、外蓋10を上方へ取り外す。
【００２５】
次に、食品（図示せず）を収容した第３の内容器13、第２の内容器５、第１の内容器12を順次断熱容器１に積み重ねるように収納する。尚、第２の内容器５にあっては、第２の内容器本体16に食品を収納した後、底板部20側を第２の内容器本体16に挿入するように第２の内蓋17を閉じる際、底板部20が小突起27を乗り越えた後に凹部26と小突起27とが嵌合することでクリック感が得られ、正位置で閉蓋したことを感知することができる。
【００２６】
そして、外蓋10を回動して閉蓋状態で止め具８を回動して受け部11に係止することで、外蓋10が固定される。この保温状態にあっては、第２の内蓋17に設けられた遮断壁６が第１の直径箇所の内周面２Ａに接触して、遮断壁６を境界として内筒２の内部は上下に２分割され、また第２の内蓋17に断熱層21が設けられることにより、断熱容器１内にあっては第２の内蓋17より下方がほぼ密閉された断熱空間となり、この結果その下方において熱対流が生じたとしても、遮断壁６で仕切られた内筒２内の下部で小さな熱対流となり、熱対流に伴う保温性能の低下を阻止することができる。
【００２７】
そして、止め具８を受け部11から外し外蓋10を開いて、上部開口部１Ａから第１の内容器12、第２の内容器５、第３の内容器13を順次取り出して使用する。
【００２８】
以上のように、前記実施例においては、弾性リング22の遮断壁６により、断熱容器１の対流空間を断熱容器１の上部開口部１Ａまで繋がらないように遮断することができ、熱損失を抑えることができる。それにより、収納された遮断壁６より下方位置にある第２の内容器５、第３の内容器13の保温をより高く持続することができる。また、遮断壁６に弾性体を用いているため、断熱容器１の内周面２Ａに遮断壁６を変形接触させることができ、不均一寸法の対流空間の遮蔽に容易に対応することができる。
【００２９】
また、遮断壁６が接触する内筒２の内径部２Ｂを形成する第１の直径Ａを、内筒２の第２の内径Ｂよりわずかに小さくすることで、第２の内容器５の遮断壁６の接触抵抗を軽減させることができる。第２の内容器５の収納始めの断熱容器１の上部開口部１Ａ付近のような第２の直径の箇所Ｂでは、遮断壁６の接触抵抗なしに第２の内容器５をより内部へ移動することが容易にでき、第２の内容器５の最終放置位置直前で遮断壁６の直径Ｃより内筒２の第１の直径Ａが小さくなること、また直径Ｃと第１の直径Ａが同一寸法とすることで、遮断壁６が断熱容器１の内周面２Ａと密着し断熱空間を遮断固定することになる。また、第２の内容器５は自身の弾性遮断壁６が断熱容器１に密着固定するために、携帯時に断熱容器１内で動くことがなく、特に第２の内容器５内の食品の偏りなどを防止することができる。
【００３０】
さらに、実施例のように第２の内蓋17の閉蓋時に第２の内容器本体16側にある小突起27と、第２の内蓋17にある凹部26との嵌合によるクリック感の生成するような場合にあっては、第２の内容器５の上部開口部16Ａは弾性リング22に接することになり、その密接度の変化に対応し弾性リング22が変形吸収することになる。よって、第２の内容器本体16と第２の内蓋17とのクリック感の乗り越えを上下方向での管理とすることにより、クリック感を安定させることができる。また、パッキン材を弾性リング22により形成し、この弾性リング22の縦辺部24に遮断壁６を突起状に設けることにより、第２の内容器本体16の上部開口部16Ａが縦辺部24に当たり、弾性変形が大きくなるため、より大きな公差を吸収することができる。
【実施例２】
【００３１】
図２は実施例２を示しており、前記実施例１と同一部分には同一符号を付し、その詳細な説明を省略する。実施例２では断熱容器１に大容量の内容器５´を設けると共に、その上部に小容量の内容器12´を積み重ねて収納した場合を示しており、大容量の内容器５´の蓋17´に遮蔽壁６´を設けたものである。また外蓋10´は肩部材９に外嵌することで、取り付けできるようになっている。そして、遮蔽壁６´の一部に僅かな切り欠き34を形成することにより、大容量の内容器５´を内筒２に収納した際に、内筒２内が減圧状態となったとき、切り欠き34により上下を連通できるようにしてあることで、大気を切り欠き34を介して下方に導入して減圧状態を解消して大容量の内容器５´の取り出しを容易にできるようにしたものである。
【産業上の利用可能性】
【００３２】
以上のように本発明に係る断熱食品容器は、各種の用途に適用できる。
【符号の説明】
【００３３】
１  断熱容器
１Ａ  上部開口部
２Ａ  内周面
２Ｂ  小径部
５  第２の内容器
６  遮断壁
10  外蓋
17  第２の内蓋
22  弾性リング（パッキン材）
【図１】
2011235934.tif 000003
【図２】
2011235934.tif 000004